(57)【要約】【課題】  一次側巻線と二次側巻線との間の電気的絶縁を確保して閃光発光管を適正に発光動作させることができるトリガーコイルを提供する。【解決手段】  一次側巻線２と、この一次側巻線２が巻装されたコア４と、コア４に対して一次側巻線２の外周囲位置に巻装されている二次側巻線３とを備え、二次側巻線３は、一次側巻線２が巻装されているコア４を内部に収納するハウジング５の外周面に巻装されている。特に、コア４は、ハウジング５の収納部５ｓを構成する有底孔内に挿入配置されており、二次側巻線３の高圧端子部３ｂは、収納部５ｓの開口部１０とは反対側に臨ませて、一次側端子２との間の延面距離１２を大きくする。【選択図】        図１
2005322799.tif 000002
【特許請求の範囲】
【請求項１】
一次側巻線と、この一次側巻線が巻装されているコアと、このコアに対して前記一次側巻線の外周位置に巻装されている二次側巻線とを備えたトリガーコイルにおいて、
前記二次側巻線は、前記一次側巻線が巻装されているコアを内部に収納するハウジングの外周面に巻装されている
ことを特徴とするトリガーコイル。
【請求項２】
前記ハウジングには、前記コアを収納するための収納部が形成されているとともに、前記収納部は、一端が開口し他端が閉塞する有底孔でなり、
前記二次側巻線の高圧側端子は、前記収納部の他端側寄りに位置している
ことを特徴とする請求項１に記載のトリガーコイル。
【請求項３】
前記ハウジングは、合成樹脂材料の射出成形体でなる
ことを特徴とする請求項１に記載のトリガーコイル。
【請求項４】
前記コアは、フェライトでなる
ことを特徴とする請求項１に記載のトリガーコイル。
【請求項５】
昇圧回路によって昇圧された電力を蓄積するメインコンデンサと、このメインコンデンサから放出される電力により閃光を発光する閃光発光管と、この閃光発光管のトリガー電極に印加するトリガー電圧を発生させるトリガーコイルと、このトリガーコイルに電力を供給するトリガー用コンデンサとを備え、
前記トリガーコイルは、一次側巻線と、この一次側巻線が巻装されているコアと、このコアに対して前記一次側巻線の外周位置に巻装されている二次側巻線とを備え、前記一次巻線の一端は前記二次側巻線の一端に接続され、前記一次側巻線の他端は前記トリガー用コンデンサに接続され、前記二次側巻線の他端は前記トリガー電極に接続されている閃光発生回路において、
前記二次側巻線は、前記一次側巻線が巻装されているコアを内部に収納するハウジングの外周面に巻装されている
ことを特徴とする閃光発生回路。
【請求項６】
請求項５に記載の閃光発生回路がカメラ本体内部に搭載されている
ことを特徴とする撮像装置。
【発明の詳細な説明】
【技術分野】
【０００１】
本発明は、閃光発光管のトリガー電極に印加するトリガー電圧を発生させるトリガーコイルとこれを備えた閃光発生回路および撮像装置に関する。
【背景技術】
【０００２】
従来より、写真撮影用のスチルカメラにおいて、被写体輝度が不足している場合、シャッタ動作に連動してフラッシュ光を発光させるものが知られている。このようなカメラには、フラッシュ光を発光させるための閃光発生回路が備えられている。閃光発生回路は、昇圧回路と、この昇圧回路によって昇圧された電力を蓄積するメインコンデンサと、このメインコンデンサから放出される電力により閃光を発光する閃光発光管と、この閃光発光管のトリガー電極に印加するトリガー電圧を発生させるトリガーコイルと、トリガーコイルに電力を供給するトリガー用コンデンサとを有している（下記特許文献１参照）。
【０００３】
トリガーコイルは、一次側巻線と、二次側巻線と、これら一次側巻線および二次側巻線の各々の一端が接続された共通側端子と、一次側巻線の他端が接続された一次側端子と、二次側巻線の他端が接続された二次側端子とを備え、一次側端子と共通側端子との間に電流を流すことによって、二次側端子に、閃光発光管のトリガー電極に印加するトリガー電圧を発生させる。そして、従来のトリガーコイルには、一次側巻線と二次側巻線との間の絶縁ならびに、二次側巻線間同士の絶縁のため、含浸剤としてワックスが使用されているものがあった。
【０００４】
ところが、近年におけるデジタルスチルカメラ等の撮像装置の小型化の進展に伴い、上述の閃光発生回路の小型化の要望が強くなっている。また、閃光発生回路を組み立てる際の工数低減のため、部品をリフロー加熱にてはんだ付けできるようにする要求も強い。従って、含浸剤としてワックスが使用されているトリガーコイルでは、ワックスの融点が概ね１００℃程度と低いため、２５０℃程度に加熱されるリフロー加熱には使用できなかった。
【０００５】
一方、リフロー加熱に耐えられるトリガーコイルとして、例えば図８に示す構成のものがある。図示するトリガーコイル１０１は、フェライトコア１０４の軸心部１０４ａの周りに一次側巻線１０２が巻装されているとともに、この一次側巻線１０２の外周位置には二次側巻線１０３が巻装されている。一次側巻線１０２の一端側と二次側巻線１０３の一端側とは互いにトリガーコイル１０１の共通側端子（図示略）を形成するとともに、一次側巻線１０２の他端側は低圧側の一次側端子、二次側巻線１０３の他端側は高圧側の二次側端子をそれぞれ形成している。これらの各端子はフェライトコア１０４の両端部に突出形成された基板実装用の外部端子１０７，１０８等にそれぞれ電気的に接続されている。
【０００６】
一次側巻線１０２と二次側巻線１０３とは互いにフェライトコア１０４の軸心部１０４ａに対して同軸状に巻装されているとともに、二次側巻線１０３は一次側巻線１０２に比べて径の細い巻線が用いられている。一次側巻線１０２および二次側巻線１０３との間の電気的絶縁には、ワックスの代わりにワニス（図示略）を含浸するとともに、これら一次側巻線１０２と二次側巻線１０３との間に貼り付けられた絶縁テープ１０５が用いられている（下記特許文献２参照）。また、二次側巻線１０３の最外周には外装テープ１０６が貼り付けられている。
【０００７】
【特許文献１】特開２００３−３０２６７５号公報
【特許文献２】特開平７−２８３０３８号公報
【発明の開示】
【発明が解決しようとする課題】
【０００８】
ワニスは流動性がワックスに比べて悪いため、一次側巻線１０２上に巻かれている層間テープ１０５に発生する微細な隙間やシワを埋めることができず、また、ワニスの固化時に収縮が生じるため更に隙間ができやすい。更に、リフロー時の加熱によって、層間テープ１０５が収縮し、その際に新たな隙間を発生させることもある。そのため、二次側巻線１０３の特にその高圧側（他端側）１０３ｂと一次側巻線１０２との間の延面距離を大きくとることができず、両者間の絶縁を完全に保つことができなくなっているという問題がある。
【０００９】
一方、従来のトリガーコイル１０１においては、層間テープ１０５の貼りズレや、二次側巻線１０３が巻き崩れを起こすと、図９に示すように、二次側巻線１０３が直接フェライトコア１０４の軸心部１０４ａに巻かれることになる。軸心部１０４ａの四隅には角部が存在し、フェライト加工時の圧力分布の点から当該角部にＲ加工を施すことはできない。
【００１０】
従って、層間テープ１０５に貼りズレが生じたり、二次側巻線１０３が巻き崩れを起こすと、図１０に示すように、フェライトコア１０４の軸心部１０４ａの角部１０４ｂに径の細い二次側巻線１０３が直接当たることによりストレスがかかり、リフロー時の加熱によって二次側巻線１０３の被膜１０３ｂに劣化が起こりピンホール１１０が発生することがある。このピンホール１１０が複数箇所で発生すると、二次側巻線１０３間のショート（レイアーショート）が発生してしまい、閃光発光管のトリガー端子にトリガー電圧を供給できず、閃光発光管が発光しないという不具合が生じてしまう。
【００１１】
本発明は上述の問題に鑑みてなされ、一次側巻線と二次側巻線との間の電気的絶縁を確保して閃光発光管を適正に発光動作させることができるトリガーコイル、閃光発生回路および撮像装置を提供することを課題とする。
【課題を解決するための手段】
【００１２】
以上の課題を解決するに当たり、本発明は、一次側巻線と、この一次側巻線が巻装されているコアと、このコアに対して一次側巻線の外周位置に巻装されている二次側巻線とを備え、二次側巻線は、一次側巻線が巻装されているコアを内部に収納するハウジングの外周面に巻装されていることを特徴とする。
【００１３】
この構成により、一次側巻線と二次側巻線との間に、上記ハウジングが介在することになるので、これら一次側巻線と二次側巻線との間の電気的絶縁を確保することが可能となり、閃光発光管を適正に発光させることができる。
【００１４】
また、上記ハウジングを合成樹脂材料の射出成形体で構成するようにすれば、二次側巻線が巻装される外周面をある程度所望の形状に加工することができるので、二次側巻線にダメージを与えない巻装面を容易に得ることができ、これによりレイアーショートの発生を回避することが可能となる。
【００１５】
さらに、本発明のトリガーコイルにおいて、上記ハウジングには、コアを収納するための収納部が形成されているとともに、この収納部は、一端が開口し他端が閉塞する有底孔でなり、二次側巻線の高圧側端子は、収納部の他端側寄りに位置している。この構成により、トリガーコイルの生産性を確保しながら、二次側巻線の高圧側端部と収納部の開口部との間の延面距離を大きくして、一次側巻線と二次側巻線との間の電気的絶縁性の確保を図ることが可能となる。
【発明の効果】
【００１６】
本発明のトリガーコイルによれば、二次側巻線を、一次側巻線を巻装したコアを内部に収納するハウジングの外周面に巻装するようにしているので、一次側巻線と二次側巻線との間の電気的絶縁性を確保することができる。これにより、当該トリガーコイルを含む閃光発生回路においては、閃光発光管の適正な発光動作を確保することができる。
【発明を実施するための最良の形態】
【００１７】
以下、本発明の実施の形態について図面を参照して説明する。本実施の形態では、例えばデジタルスチルカメラ等の撮像装置におけるフラッシュ発光装置を構成するトリガーコイルおよびこれを備えた閃光発生回路を例に挙げて説明する。
【００１８】
図１〜図６は本発明の実施の形態を示しており、図１は本実施の形態におけるトリガーコイル１の要部側断面図、図２はトリガーコイル１の等価回路図、図３はトリガーコイル１の一次側端子側から見た斜視図、図４はトリガーコイル１の二次側端子側から見た斜視図、図５はトリガーコイル１の要部断面図、図６はトリガーコイル１を含む閃光発生回路の回路図である。
【００１９】
トリガーコイル１は、一次側巻線２と、二次側巻線３と、一次側巻線が巻装されているコア４と、二次側巻線３が巻装されているハウジング５とを備えている。
【００２０】
一次側巻線２および二次側巻線３はともに被覆銅線等の被膜付き導体線材でなり、一次側巻線２の巻数は二次側巻線３の巻数よりも少なく、本実施の形態では、一次側巻線２は１２ターン、二次側巻線３は１２００ターンである。また、一次側巻線２の線径は二次側巻線の線径よりも太く、本実施の形態では、一次側巻線２はφ０．１０ｍｍ、二次側巻線３はφ０．０３ｍｍである。
【００２１】
一次側巻線２は、コア４の軸心部４ａの周りに巻装されている。コア４は、トリガーコイル１の電気的性能向上のためフェライト製とされているが、電磁鋼板等の他の軟磁性材料を用いてもよい。コア４の軸心部４ａはその両端側に対して凹状に形成されることにより、一次側巻線２の巻付け作業性が高められているが、この形状に限られない。
【００２２】
コア４は、一次側巻線２とともに合成樹脂材料の射出成形体でなるハウジング５の内部に収納され、ハウジング５の外周面に巻装されている二次側巻線３の軸心位置に固定されている。なお、二次側巻線３の外周位置には外装テープ１１が貼り付けられている。
【００２３】
ハウジング５は、非導電性の合成樹脂材料の射出成形体で形成されている。適用される合成樹脂材料としては、トリガーコイル１のリフロー実装温度（例えば２５０℃）に耐え得る樹脂、例えばＰＰＳ（ポリフェニレンサルファイド）、４６ナイロン（商品名）、６６ナイロン（商品名）、液晶ポリマーなどが好適である。
【００２４】
ハウジング５の軸心部には、コア４を収納するための収納部５ｓが設けられている。収納部５ｓは、一端が閉塞し他端が開口した有底孔で形成されている。この収納部５ｓの内部に、コア４は一端側から挿入配置された後、接着剤等を介してハウジング５に一体固定されている。
【００２５】
この構成により、コア４をハウジング５の形成樹脂材料で全体的にモールドする形態（これも本発明の範囲内）よりも、コア４とハウジング５の一体化作業が容易となり、トリガーコイル１の生産性を確保することができる。
【００２６】
ハウジング５の外周面は、その両側面部および下面部のそれぞれの中央領域が凹設されているとともに、その上面部の対応する領域には一対の突出部５ｔが形成されている（図１、図３参照）。これらにより、ハウジング５に対する二次側巻線３の巻装面５ｃが形成され、巻付作業性の向上が図られている。なお、ハウジング５の上面部に突出部５ｔを形成する構成に代えて、当該上面部をも凹設して、巻装面５ｃ環状の凹設面で形成してもよい。
【００２７】
また、巻装面５ｃの角部５ｃ１は、図５に示すようにＲ加工が施されており、線径の比較的細い二次側巻線３に対する巻付時のダメージの低減が図られており、リフロー加熱時の熱ダメージによる被膜３ｂの劣化を抑制し、二次側巻線３間のショート（レイアーショート）の発生を抑えるようにしている。
【００２８】
巻装面５ｃはハウジング５を成形する際の金型形成面となる領域であるので、金型形状を任意に変更することによって、角部５ｃ１を所望とするＲ形状に形成したり、あるいは角部５ｃ１の無い形状（例えば巻装面５ｃの軸方向断面形状が円形状）となるように形成することができる。
【００２９】
トリガーコイル１は、図２に示すように、一次側巻線２の一端２ａおよび二次側巻線３の一端３ａと電気的に接続された共通接続端子６と、一次側巻線２の他端２ｂと電気的に接続された一次側端子７と、二次側巻線の他端３ｂと電気的に接続された二次側端子８とを備えている。
【００３０】
共通接続端子６は、図３に示すように、ハウジング５の一端５ａ側（収納部５ｓの開口部１０側）に突出形成されたはんだ付け部分６ａとからげ部分６ｂとを有する金属端子でなり、からげ部分６ｂに一次側巻線２の一端２ａと二次側巻線３の一端３ａとがそれぞれ共通に接続されている。
【００３１】
一次側端子７も同様に、ハウジング５の一端５ａ側に突出形成されたはんだ付け部分７ａとからげ部分７ｂとを有する金属端子でなり、からげ部分７ｂに一次側巻線２の他端２ｂが接続されている。
【００３２】
一次側巻線２の各端部２ａ，２ｂおよび二次側巻線の一端３ａはそれぞれ、コア４と収納部５ｓとの間の隙間を介して、ハウジング５の一端５ａ側に導出されている。
【００３３】
なお、本実施の形態では、共通接続端子６として、一次側巻線２の一端２ａのからげ部分と二次側端子３の一端３ａのからげ部分とを共通化したが、外部端子部６ａにともに接続されるのであれば各々のからげ部分を別部材で構成してもよい。
【００３４】
二次側端子８は、図４に示すように、ハウジング５の他端５ｂ側に突出形成されたはんだ付け部分８ａとからげ部分８ｂとを有する金属端子でなり、からげ部分８ｂに二次側巻線３の他端３ｂがハウジング５の内部を介して接続されている。なお、ハウジング５の他端５ｂ側には、ダミー端子９（９ａ，９ｂ）が設けられており、図示しない回路基板に対するリフロー実装（はんだ付け）時の姿勢安定性を高めるようにしている。
【００３５】
上述のように、本実施の形態では、二次側端子８（８ａ，８ｂ）をハウジング５の他端５ｂ側に設けている。二次側端子８は、後述するようにトリガー電極へ高電圧を印加する端子であって、この二次側端子８に接続されている二次側巻線３の他端３ｂから、収納部５ｓの開口部１０までの延面距離１２（図１参照）が大きくなるように構成されている。
【００３６】
この構成により、本実施の形態によれば、トリガーコイル１の生産性を確保しながら、一次側巻線２と二次側巻線３との間の絶縁破壊（リーク）の発生を抑止することが可能となり、安定した閃光の発光を行うことが可能となる。また、トリガーコイルのサイズの小型化が実現できるので、これを収容するカメラ本体の小型化にも貢献することが可能となる。
【００３７】
また、本実施の形態のトリガーコイル１によれば、リフロー実装温度に耐え得るように構成されているので、所期の絶縁性能を劣化させることなくリフローはんだ付け作業を行うことができ、閃光発生回路およびカメラの組立作業の効率化を図ることができる。
【００３８】
次に、図６を参照して上述した構成のトリガーコイル１を含む閃光発生回路１５の一構成例について説明する。
【００３９】
閃光発生回路１５は、トリガーコイル１と、閃光発光管１６と、メインコンデンサ１７と、抵抗素子１８，１９と、トリガー用コンデンサ２０と、ＩＧＢＴ（Insulated Gate Bipolar Transistor）２１と、端子２３，２４，２５とを備えている。
【００４０】
この閃光発生回路１５は、カメラ本体（筐体）内部に搭載されており、図示しない内部電池に接続された図示しない昇圧回路によって昇圧された電圧Ｖが端子２２に印加されている。この端子２２と、グラウンドＧＮＤ電位に保持された端子２４との間には、直列接続された閃光発光管１６およびＩＧＢＴ２１のコレクタ・エミッタと、メインコンデンサ１７と、直列接続された抵抗素子１８およびトリガー用コンデンサ２０とが、それぞれ並列に配置されている。閃光発光管１６は、陽極２５と陰極２６とトリガー電極２７とを備えている。
【００４１】
トリガーコイル１の一次側端子７は、トリガー用コンデンサ２０に接続されており、二次側端子８は、閃光発光管１６のトリガー電極２７に接続されている。また、トリガーコイル１の共通接続端子６は、グラウンド電位に保持された端子２４に接続されている。ＩＧＢＴ２１のゲートは、制御用信号Ｃの入力端子２３に抵抗素子１９を介して接続されている。
【００４２】
以上のように構成される閃光発生回路１５において、最初の時点では、端子２３にＬ（Ｌｏｗ）レベルの制御信号Ｃが入力されている。また、端子２２に印加された電圧Ｖによりメインコンデンサ１７には十分な電力が蓄えられている。さらに、端子２２から抵抗素子１８、トリガー用コンデンサ２０、トリガーコイル１の一次側端子７、共通接続端子６および端子２４を介して、トリガー用コンデンサ２０にも電力が蓄えられている。
【００４３】
次に、撮影にあたってカメラのシャッタの動きと同期して、端子２３にＨ（Ｈｉｇｈ）レベルの制御信号Ｃが入力される。すると、ＩＧＢＴ２１がオン状態となり、トリガー用コンデンサ２０に蓄えられている電力が、ＩＧＢＴ２１から端子２４を介して放出され、トリガーコイル１の一次巻線２に電流が流れる。
【００４４】
これにより、二次側巻線３に高電圧（例えば５ｋＶ〜８ｋＶ）が発生し、この高電圧が閃光発光管１６のトリガー電極２７に印加され、閃光発光管１６の陽極２５と陰極２６間が導通状態になる。その結果、メインコンデンサ１７に蓄えられていた電力が、メインコンデンサ１７の（＋）側、陽極２５、陰極２６、ＩＧＢＴ２１、メインコンデンサ１７の（−）側の放電ループを通って放出され、閃光発光管１６から閃光が発生する。
【００４５】
このようにして、被写体輝度が不足している場合にカメラからフラッシュ光を発光させて写真撮影が行われる。
【００４６】
以上、本発明の実施の形態について説明したが、勿論、本発明はこれに限定されることなく、本発明の技術的思想に基づいて種々の変形が可能である。
【００４７】
例えば以上の実施の形態では、ハウジング５の収納部５ｓにコア４を収納した後、収納部５ｓの開口部１０はそのまま開放状態としていたが、これに代えて、当該開放された開口部１０内に非導電性の接着剤等を充填したり、図７に示すように、開口部１０を塞ぐ蓋部材１３を取り付けるようにしてもよい。
【００４８】
これにより、開口部１０を介しての一次側および二次側の各々の巻線２，３間の放電を防止して、絶縁性の更なる向上を図ることができる。１４は、各巻線２，３の端部２ａ，２ｂ，３ａを外部へ導出させるための導出孔である。なお、図７において上述の第１の実施の形態と対応する部分については同一の符号を付し、その詳細な説明は省略する。
【図面の簡単な説明】
【００４９】
【図１】本発明の実施の形態におけるトリガーコイル１の要部側断面図である。
【図２】トリガーコイル１の等価回路図である。
【図３】トリガーコイル１の一次側端子側から見たときの全体斜視図である。
【図４】トリガーコイル１の二次側端子側から見たときの全体斜視図である。
【図５】トリガーコイル１の要部断面図である。
【図６】トリガーコイル１を含む閃光発生回路１５の一構成例を示す回路図である。
【図７】トリガーコイル１の構成の変形例を示す一次側端子側の全体斜視図である。
【図８】従来のトリガーコイルの要部側断面図である。
【図９】従来のトリガーコイルの要部拡大断面図である。
【図１０】従来のトリガーコイルの要部断面図である。
【符号の説明】
【００５０】
１…トリガーコイル、２…一次側巻線、３…二次側巻線、４…コア、５…ハウジング、５ｓ…収納部、６…共通接続端子、７…一次側端子、８…二次側端子、９…ダミー端子、１０…開口部、１３…蓋部材、１５…閃光発生回路、１６…閃光発生管、１７…メインコンデンサ、２０…トリガー用コンデンサ、２１…ＩＧＢＴ、２７…トリガー電極。
【図１】
2005322799.tif 000003
【図２】
2005322799.tif 000004
【図３】
2005322799.tif 000005
【図４】
2005322799.tif 000006
【図５】
2005322799.tif 000007
【図６】
2005322799.tif 000008
【図７】
2005322799.tif 000009
【図８】
2005322799.tif 000010
【図９】
2005322799.tif 000011
【図１０】
2005322799.tif 000012